(57)【要約】【課題】  各単位回路の構成を簡素化する。【解決手段】  単位回路Ｕは、電圧供給線１７と電気光学素子１１との間に介挿された駆動トランジスタＴdrと、書込期間Ｐwrtにて駆動トランジスタＴdrをダイオード接続するトランジスタＴ1とを含む。信号線駆動回路２５は、書込期間Ｐwrtにて各単位回路Ｕにデータ電圧Ｖdataを供給する。電圧制御回路２７は、書込期間Ｐwrtにおいて、電圧供給線１７の電圧Ａを駆動トランジスタＴdrのソースよりも低位の電圧値Ｖssに設定する。これによって駆動トランジスタＴdrのゲートからトランジスタＴ1および駆動トランジスタＴdrを経由して電圧供給線１７に電流Ｉ0が流れ込む。電圧制御回路２７は、駆動トランジスタＴdrがデータ電圧Ｖdataに応じた導通状態となる駆動期間Ｐdrvにおいて、電圧供給線１７の電圧Ａを電圧値Ｖssよりも高位の電圧値Ｖddに設定する。【選択図】      図３
2007065539.tif 000002
【特許請求の範囲】
【請求項１】
被駆動素子を駆動するための電子回路であって、
信号線と、
前記信号線に接続された単位回路と、
電圧供給線とを含み、
前記単位回路は、
制御端子と第１端子と前記電圧供給線に接続された第２端子とを備えるとともに前記制御端子の電圧に応じて前記第１端子と前記第２端子との間の導通状態が設定される駆動トランジスタと、
前記駆動トランジスタの前記制御端子と前記第１端子および前記第２端子の何れか一方との電気的な接続を制御する第１スイッチング素子と、
第１電極と第２電極との間に誘電体を備え、前記第１電極が前記駆動トランジスタの前記制御端子に接続され、前記第２電極が前記信号線に接続された容量素子とを含み、
前記被駆動素子に供給される駆動電流および駆動電圧のうち少なくとも一方のレベルが前記第１端子と前記第２端子との間の導通状態に応じて設定される
ことを特徴とする電子回路。
【請求項２】
信号線と、
前記信号線に接続された単位回路と、
電圧供給線とを含み、
前記単位回路は、
制御端子と第１端子と前記電圧供給線に接続された第２端子とを備えるとともに前記制御端子の電圧に応じて前記第１端子と前記第２端子との間の導通状態が設定される駆動トランジスタと、
被駆動素子と、
前記駆動トランジスタの前記制御端子と前記第１端子および前記第２端子の何れか一方との電気的な接続を制御する第１スイッチング素子と、
第１電極と第２電極との間に誘電体を備え、前記第１電極が前記駆動トランジスタの前記制御端子に接続され、前記第２電極が前記信号線に接続された容量素子とを含み、
前記被駆動素子に供給される駆動電流および駆動電圧のうち少なくとも一方のレベルが前記第１端子と前記第２端子との間の導通状態に応じて設定される
ことを特徴とする電子装置。
【請求項３】
前記第２電極は前記信号線に対して直接に接続されている
ことを特徴とする請求項２に記載の電子装置。
【請求項４】
第１期間に、前記駆動トランジスタの前記制御端子と前記第１端子および前記第２端子の何れか一方とが前記第１スイッチング素子を介して電気的に接続され、
前記第１期間に、前記第２電極に前記信号線を介してデータ信号が供給され、
第２期間に、当該第２期間内にて経時的に変化する制御信号が前記第２電極に供給される
ことを特徴とする請求項２または請求項３に記載の電子装置。
【請求項５】
前記第１電極は、前記第２期間の少なくとも一部にてフローティング状態となる
ことを特徴とする請求項４に記載の電子装置。
【請求項６】
前記電圧供給線の電圧を複数の電圧値の何れかに設定する電圧制御回路を含む
ことを特徴とする請求項４または請求項５に記載の電子装置。
【請求項７】
前記電圧制御回路は、前記第１期間の少なくとも一部にて前記電圧供給線の電圧を前記第１端子よりも低位の第１電圧値に設定し、前記第２期間の少なくとも一部にて前記電圧供給線の電圧を前記第１端子よりも高位の第２電圧値に設定する
ことを特徴とする請求項６に記載の電子装置。
【請求項８】
前記第１スイッチング素子は、スイッチングトランジスタであり、
前記単位回路に含まれるトランジスタは、前記駆動トランジスタと前記スイッチングトランジスタのみである
ことを特徴とする請求項２から請求項７の何れかに記載の電子装置。
【請求項９】
前記被駆動素子は、前記第１端子の電圧値が所定の電圧値を上回ると駆動され、
前記第１電圧値は、前記書込期間における前記第１端子の電圧値が前記所定の電圧値よりも低位となるように決定されている
請求項７に記載の電子装置。
【請求項１０】
前記単位回路は、前記第１端子の電圧を所定の電圧値に設定する第１リセット手段を含む
請求項７に記載の電子装置。
【請求項１１】
前記第１リセット手段は、前記第１端子と前記電圧供給線とを初期化期間にて電気的に接続する第２スイッチング素子を含み、
前記電圧制御回路は、前記初期化期間にて前記電圧供給線の電圧を前記第２電圧値に設定する
請求項１０に記載の電子装置。
【請求項１２】
前記第１リセット手段は、前記第１端子と定電圧が供給される給電線とを初期化期間にて電気的に接続する第２スイッチング素子を含み、
前記電圧制御回路は、前記初期化期間にて前記電圧供給線の電圧を前記第１電圧値に設定する
請求項１０に記載の電子装置。
【請求項１３】
前記単位回路は、前記駆動トランジスタの前記制御端子の電圧を所定の電圧値に設定する第２リセット手段を含む
請求項７に記載の電子装置。
【請求項１４】
前記第２リセット手段は、前記制御端子と前記電圧供給線とを初期化期間にて電気的に接続する第３スイッチング素子を含み、
前記電圧制御回路は、前記初期化期間にて前記電圧供給線の電圧を前記第２電圧値に設定する
請求項１３に記載の電子装置。
【請求項１５】
請求項２から請求項１４の何れかに記載の電子装置を具備する電子機器。
【請求項１６】
信号線と、
前記信号線に接続された単位回路と、
電圧供給線とを含み、
前記単位回路は、
制御端子と第１端子と前記電圧供給線に接続された第２端子とを備えるとともに前記制御端子の電圧に応じて前記第１端子と前記第２端子との間の導通状態が設定される駆動トランジスタと、
電気光学素子と、
前記駆動トランジスタの前記制御端子と前記第１端子および前記第２端子の何れか一方との電気的な接続を制御する第１スイッチング素子と、
第１電極と第２電極との間に誘電体を備え、前記第１電極が前記駆動トランジスタの前記制御端子に接続され、前記第２電極が前記信号線に接続された容量素子とを含み、
前記電気光学素子に供給される駆動電流および駆動電圧のうち少なくとも一方のレベルが前記第１端子と前記第２端子との間の導通状態に応じて設定される
ことを特徴とする電気光学装置。
【請求項１７】
制御端子と第１端子と前記電圧供給線に接続された第２端子とを備えるとともに前記制御端子の電圧に応じて前記第１端子と前記第２端子との間の導通状態が設定される駆動トランジスタと、被駆動素子とを含む単位回路を備えた電子装置を駆動する方法であって、
第１期間に、前記第１端子および前記第２端子の何れか一方と前記駆動トランジスタの前記制御端子とを電気的に接続し、当該第１期間内に、前記信号線を介して前記第２電極にデータ信号を供給し、
第２期間に、当該第２期間内にて経時的に変化する制御信号を前記第２電極に供給する
ことを特徴とする電子装置の駆動方法。
【発明の詳細な説明】
【技術分野】
【０００１】
本発明は、有機発光ダイオード（以下「ＯＬＥＤ（Organic  Light  Emitting  Diode）」という）素子、液晶素子、電気泳動素子、エレクトロクロミック（Electrochromic）素子、電子放出素子、抵抗素子など各種の被駆動素子を制御する技術に関する。
【背景技術】
【０００２】
この種の被駆動素子を駆動するための様々な技術が従来から提案されている。例えば特許文献１には、被駆動素子たるＯＬＥＤ素子を含む複数の単位回路を面状に配列した構成が開示されている。各単位回路は、ＯＬＥＤ素子に供給される電流をゲートの電圧に応じて制御する駆動トランジスタと、この駆動トランジスタをダイオード接続するためのリセットトランジスタと、ＯＬＥＤ素子への電流の供給の可否を切り替える発光制御トランジスタとを含む。この構成によれば、各単位回路における駆動トランジスタの閾値電圧の誤差（バラツキ）を補償することが可能である。
【特許文献１】特開２００３−１２２３０１号公報（図１）
【発明の開示】
【発明が解決しようとする課題】
【０００３】
ところで、ひとつの単位回路を構成するトランジスタの総数は少ないことが望ましい。トランジスタの総数が多いほど単位回路の構成が複雑化して製造コストが増大するからである。また、単位回路を画素として利用した電気光学装置においてはトランジスタの総数が多いほど開口率が低下するという問題もある。しかしながら、従来の構成のもとで各単位回路のトランジスタの総数を低減するには限界がある。例えば特許文献１の構成においては、単位回路にデータが書き込まれる期間でＯＬＥＤ素子を消灯させるために発光制御トランジスタが不可欠である。本発明のひとつの形態は、例えば各単位回路の構成を簡素化するために有効である。
【課題を解決するための手段】
【０００４】
本発明のひとつの形態に係る電子装置は、信号線と、前記信号線に接続された単位回路と、電圧供給線とを含み、前記単位回路は、制御端子（例えばゲート）と第１端子（ソースおよびドレインの一方）と前記電圧供給線に接続された第２端子（ソースおよびドレインの他方）とを備えるとともに前記制御端子の電圧に応じて前記第１端子と前記第２端子との間の導通状態が設定される駆動トランジスタと、被駆動素子（例えば図３の電気光学素子１１）と、前記駆動トランジスタの前記制御端子と前記第１端子および前記第２端子の何れか一方との電気的な接続を制御する第１スイッチング素子（例えば図３のトランジスタＴ1）と、第１電極（例えば図３の第１電極Ｅa）と第２電極（例えば図３の第２電極Ｅb）との間に誘電体を備え、前記第１電極が前記駆動トランジスタの前記制御端子に接続され、前記第２電極が前記信号線に接続された容量素子（例えば図３の容量素子Ｃ）とを含み、前記被駆動素子に供給される駆動電流および駆動電圧のうち少なくとも一方のレベルが前記第１端子と前記第２端子との間の導通状態に応じて設定される。
【０００５】
この構成においては、駆動トランジスタの制御端子と第１端子および第２端子の一方とが第１スイッチング素子を介して電気的に接続されることで駆動トランジスタの閾値電圧の誤差が補償される一方、駆動トランジスタのゲートの電圧が容量素子における容量カップリングによって信号線の電圧に応じた電圧値に設定される。したがって、極めて簡素な構成によって、駆動トランジスタの閾値電圧の誤差（ひとつの駆動トランジスタの閾値電圧と設計値との相違、あるいは複数の単位回路を含む構成においては各単位回路における駆動トランジスタの閾値電圧の相違）を補償しながら被駆動素子を駆動することができる。
【０００６】
なお、本態様に係る電子装置においては、信号線と第２電極との間に両者の電気的な接続を制御する（信号線の電圧を第２電極に供給するか否かを切り替える）ためのスイッチング素子を配置してもよいが、単位回路の簡素化を促進するという観点からすると、第２電極は信号線に対して直接に（すなわちスイッチング素子を介在させることなく）接続されていることが望ましい。
【０００７】
本発明の好適な態様においては、第１期間（例えば図２の書込期間Ｐwrt）に、前記第１端子および前記第２端子の何れか一方が前記駆動トランジスタの前記制御端子に前記第１スイッチング素子を介して電気的に接続され、前記第１期間に、前記第２電極に前記信号線を介してデータ信号（例えば図２のデータ電圧Ｖdata）が供給され、第２期間（例えば図２の駆動期間Ｐdrv）に、当該第２期間内にて経時的に変化する制御信号（例えば図２の制御電圧Ｖctl）が前記第２電極に供給される。
この態様のもとでは、第１期間にデータ信号が第２電極に保持され、第２期間にて第２電極の電圧が経時的に変化する。そして、第１電極の電圧（すなわち駆動トランジスタのゲートの電圧）は、容量素子での容量カップリングによって、データ信号と制御信号とのレベルの差分値に応じた電圧値だけ変動する。したがって、本態様によれば、データ信号に応じた時間長にわたって被駆動素子を駆動することができる。なお、第２期間にて第１電極がフローティング状態となる構成を採用すれば、第１電極に蓄積された電荷のリークが抑制されるから、第１電極の電圧を、高い精度でデータ信号に応じた電圧値に設定することができる。
なお、この態様の駆動回路において、データ信号を単位回路に供給する回路と制御信号を単位回路に供給する回路とは、相互に離間した別個の回路として電子装置に実装されてもよいし、双方が単一の回路（例えばＩＣチップ）に搭載された形態で電子装置に実装されてもよい。また、制御信号を単位回路に供給するための配線として信号線が兼用される構成としてもよいし、信号線とは別個の配線を介して制御信号が単位回路に供給される構成としてもよい。
【０００８】
より具体的な態様に係る電子装置は、前記電圧供給線の電圧を複数の電圧値の何れかに設定する（例えば電圧供給線と所定の電位との電気的な接続を制御する）電圧制御回路をさらに具備する。この態様における前記電圧制御回路は、例えば、前記第１期間の少なくとも一部にて前記電圧供給線の電圧を前記第１端子よりも低位の第１電圧値（例えば電圧値Ｖss）に設定し、前記第２期間の少なくとも一部にて前記電圧供給線の電圧を前記第１端子よりも高位の第２電圧値（例えば電圧値Ｖdd）に設定する。
【０００９】
この構成においては、第１期間の少なくとも一部（より具体的には第１端子または第２端子が制御端子に接続される期間の少なくとも一部）においては、電圧供給線の電圧が第１端子よりも低位の第１電圧値に設定される。したがって、この期間においては、電圧供給線の電圧が第２電圧値に設定される構成と比較して、被駆動素子に付与される電気エネルギ（被駆動素子に供給される駆動電流または駆動電圧）が低減される。したがって、被駆動素子に対する電気エネルギの付与の可否を制御するためのスイッチング素子（例えば特許文献１における「発光制御トランジスタ」）が配置されていなくても、原理的には第１期間内における被駆動素子への電気エネルギの供給を抑制（理想的には停止）することができる。ただし、発光制御トランジスタが原理的に不要であるとは言っても、この発光制御トランジスタが配置された構成を本発明の範囲から除外する趣旨ではない。すなわち、本発明の構成にあっても、被駆動素子が駆動される期間をより確実に規定することを目的として、特許文献１の発光制御トランジスタのように、被駆動素子に対する電気エネルギの付与の可否を制御するためのスイッチング素子が配置されてもよい。
【００１０】
ところで、単位回路を構成するトランジスタ（特に駆動トランジスタ）としては、例えば、各種の半導体材料（例えば、多結晶シリコン、微結晶シリコン、単結晶シリコンまたはアモルファスシリコン）からなる半導体層を含むトランジスタ（典型的には薄膜トランジスタ）を採用することができる。半導体層が例えばアモルファスシリコンで形成されたトランジスタは、これに流れる電流の方向が恒常的に固定されていると閾値電圧が経時的に変動していくことが知られている。本形態によれば、第１期間においては電流（例えば図５の電流Ｉ0）が第１端子から第２端子を経由して電圧供給線に流れ込む一方、第２期間においては電流が第２端子から第１端子を経由して被駆動素子に供給される。すなわち、駆動トランジスタに流れる電流の方向が第１期間と第２期間とで逆転するから、本形態によれば駆動トランジスタの半導体層がアモルファスシリコンからなる構成であっても、その閾値電圧の変動を抑制することができる。換言すると、駆動トランジスタの半導体層がアモルファスシリコンからなる構成に対して本形態は特に好適に採用されるということができる。
【００１１】
さらに他の態様において、前記第１スイッチング素子は、スイッチングトランジスタであり、前記単位回路に含まれるトランジスタは、前記駆動トランジスタと前記スイッチングトランジスタのみである。この構成によれば、単位回路に含まれるトランジスタを、駆動トランジスタとスイッチングトランジスタという２個のトランジスタに削減しながら、駆動トランジスタの閾値電圧の誤差を補償することができる。なお、この態様の具体例は第１実施形態（図３）として後述される。
【００１２】
さらに具体的な態様において、駆動素子は、第１端子の電圧値が所定の電圧値を上回ると駆動され、第１電圧値は、第１期間における第１端子の電圧値が所定の電圧値よりも低位となるように決定されている。この態様によれば、第１期間における第１端子の電圧値が所定の電圧値よりも低位となるから、発光制御トランジスタが配置されない構成であっても、第１期間における被駆動素子の駆動（例えば発光）を確実に停止することができる。
【００１３】
ところで、駆動トランジスタの第１端子はノイズなど様々な外的な要因によって偶発的に電圧値が変動する可能性がある。そして、この変動後の電圧値によっては（例えば第１端子の電圧値が第２電圧値以下となった場合など）、被駆動素子を駆動する所期の状態に復帰することが阻害される可能性がある。そこで、本発明のさらに好適な態様において、単位回路は、第１端子の電圧を所定の電圧値に設定する第１リセット手段を含む。この態様によれば、たとえ第１端子の電圧値が偶発的に変動した場合であっても、第１端子の電圧は第１リセット手段によって所期の電圧値に設定される。このように被駆動素子に対する所期の駆動が可能となる電圧値に第１電圧の電圧を再設定することで被駆動素子の安定的な駆動が実現される。なお、リセット手段によって第１端子の電圧が所定の電圧値に設定されるタイミングは任意である。例えば、各第１期間の開始前など所定の周期で第１端子の電圧値を設定してもよいし、電源を投入するための操作子など各種の操作子が利用者によって操作された場合に第１端子の電圧値が設定される構成としてもよい。
より具体的には、第１リセット手段は、第１端子と電圧供給線とを初期化期間にて電気的に接続する第２スイッチング素子（例えば図６のトランジスタＴ2）を含み、電圧制御回路は、初期化期間にて電圧供給線の電圧を第２電圧値に設定する。この態様によれば、第１端子の電圧値をリセットするために電圧供給線を兼用することができるから、電圧供給線とは別個の配線が第１端子の電圧値のリセットに使用される構成と比較して電子装置の構成が簡素化される。なお、この態様の具体例は第２実施形態として後述される。
あるいは、第１リセット手段が、第１端子と定電圧が供給される給電線とを初期化期間にて電気的に接続する第２スイッチング素子（例えば図１０のトランジスタＴ2）を含み、電圧制御回路が、初期化期間にて電圧供給線の電圧を第１電圧値に設定する構成としてもよい。この態様によれば、初期化期間にて電圧供給線の電圧が第１電圧値に設定されるから、初期化期間における被駆動素子の駆動（例えば発光）を確実に停止することができるという利点がある。なお、この態様の具体例は第３実施形態として後述される。
【００１４】
本発明の他の態様において、単位回路は、駆動トランジスタの制御端子の電圧を所定の電圧値に設定する第２リセット手段を含む。この態様によれば、駆動トランジスタの制御端子の電圧が所期の電圧値に設定されるから、その直前における制御端子の状況に拘わらず、駆動トランジスタの制御端子の電圧値を高い精度で所期値に設定することが可能となる。
より具体的には、第２リセット手段は、制御端子と電圧供給線とを初期化期間にて電気的に接続する第３スイッチング素子（例えば図１３のトランジスタＴ3）を含み、電圧制御回路は、初期化期間にて電圧供給線の電圧を第２電圧値に設定する。この態様によれば、初期化期間にて制御端子の電圧が第２電圧値に設定される。そして、制御端子の電圧値をリセットするために電圧供給線が兼用されるから、電圧供給線とは別個の配線が第１端子の電圧値のリセットに使用される構成と比較して電子装置の構成が簡素化される。なお、この態様の具体例は第４実施形態として後述される。
【００１５】
本発明に係る電子装置は各種の電子機器に利用される。この電子機器の典型例は、電子装置を表示装置として利用した機器である。この種の電子機器としては、パーソナルコンピュータや携帯電話機などがある。もっとも、本発明に係る電子装置の用途は画像の表示に限定されない。例えば、光線の照射によって感光体ドラムなどの像担持体に潜像を形成するための露光装置（露光ヘッド）としても本発明の電子装置を適用することができる。
【００１６】
本発明における被駆動素子は、電気的に駆動される総ての要素を含む。この被駆動素子の典型例は、電気エネルギの付与によって輝度や透過率といった光学的な性状（階調）が変化する電気光学素子である。本発明のひとつの形態に係る電気光学装置は、以上の各形態の電子装置が電気光学素子の駆動に専用される構成となっている。すなわち、この電気光学装置（例えば電気光学素子として発光素子が採用された発光装置）は、信号線と、前記信号線に接続された単位回路と、電圧供給線とを含み、前記単位回路は、制御端子と第１端子と前記電圧供給線に接続された第２端子とを備えるとともに前記制御端子の電圧に応じて前記第１端子と前記第２端子との間の導通状態が設定される駆動トランジスタと、電気光学素子と、前記駆動トランジスタの前記制御端子と前記第１端子および前記第２端子の何れか一方との電気的な接続を制御する第１スイッチング素子と、第１電極と第２電極との間に誘電体を備え、前記第１電極が前記駆動トランジスタの前記制御端子に接続され、前記第２電極が前記信号線に接続された容量素子とを含み、前記電気光学素子に供給される駆動電流および駆動電圧のうち少なくとも一方のレベルが前記第１端子と前記第２端子との間の導通状態に応じて設定される。この構成によっても、以上に説明した電子装置と同様の作用および効果が奏される。また、電子装置について以上に列挙した各態様は、この電気光学装置に対しても同様に適用される。
【００１７】
また、本発明のひとつの形態に係る電子回路は、被駆動素子を駆動するための電子回路であり、信号線と、前記信号線に接続された単位回路と、電圧供給線とを含み、前記単位回路は、制御端子と第１端子と前記電圧供給線に接続された第２端子とを備えるとともに前記制御端子の電圧に応じて前記第１端子と前記第２端子との間の導通状態が設定される駆動トランジスタと、前記駆動トランジスタの前記制御端子と前記第１端子および前記第２端子の何れか一方との電気的な接続を制御する第１スイッチング素子と、第１電極と第２電極との間に誘電体を備え、前記第１電極が前記駆動トランジスタの前記制御端子に接続され、前記第２電極が前記信号線に接続された容量素子とを含み、前記被駆動素子に供給される駆動電流および駆動電圧のうち少なくとも一方のレベルが前記第１端子と前記第２端子との間の導通状態に応じて設定される。この構成によっても、以上に説明した電子装置と同様の作用および効果が奏される。なお、この電子回路において被駆動素子の有無は不問である。また、電子装置について以上に列挙した各態様は、この電子回路に対しても同様に適用される。
【００１８】
また、本発明のひとつの形態は、以上に説明した各形態に係る電子装置を駆動する方法である。この駆動方法は、制御端子と第１端子と前記電圧供給線に接続された第２端子とを備えるとともに前記制御端子の電圧に応じて前記第１端子と前記第２端子との間の導通状態が設定される駆動トランジスタと、被駆動素子とを含む単位回路を備えた電子装置を駆動する方法であって、第１期間に、前記第１端子および前記第２端子の何れか一方と前記駆動トランジスタの前記制御端子とを電気的に接続し、当該第１期間内に、前記信号線を介して前記第２電極にデータ信号を供給し、第２期間に、当該第２期間内にて経時的に変化する制御信号を前記第２電極に供給する。この方法によっても、以上の各形態に係る電子装置と同様の作用および効果が奏される。また、電子装置について以上に列挙した各態様は、この駆動方法に対しても同様に適用される。
【発明を実施するための最良の形態】
【００１９】
＜Ａ：第１実施形態＞
図１は、本発明の第１実施形態に係る電子装置の構成を示すブロック図である。同図に例示される電子装置Ｄは、画像を表示するためのデバイスとして様々な電子機器に採用される電気光学装置であり、複数の単位回路Ｕが面状に配列された素子アレイ部１０と、各単位回路Ｕを駆動するための走査線駆動回路２３および信号線駆動回路２５と、各単位回路Ｕに電圧Ａを供給するための電圧制御回路２７とを含む。なお、走査線駆動回路２３と信号線駆動回路２５と電圧制御回路２７とは、各々が別個の回路として電子装置Ｄに実装されてもよいし、これらの回路の一部または全部が単一の回路として電子装置Ｄに実装されてもよい。
【００２０】
図１に示すように、素子アレイ部１０には、Ｘ方向に延在するｍ本の走査線１３と、Ｘ方向に直交するＹ方向に延在するｎ本の信号線（データ線）１５とが形成される（ｍおよびｎはともに自然数）。各単位回路Ｕは、走査線１３と信号線１５との交差に対応する位置に配置される。したがって、これらの単位回路Ｕは縦ｍ行×横ｎ列のマトリクス状に配列する。
【００２１】
素子アレイ部１０には、各走査線１３と対をなしてＸ方向に延在するｍ本の電圧供給線１７が形成される。これらの電圧供給線１７は電圧制御回路２７の出力端に対して共通に接続される。したがって、電圧制御回路２７から出力される電圧Ａは、各電圧供給線１７を介して複数の単位回路Ｕに共通に供給される。
【００２２】
図２は、電子装置Ｄの動作を説明するためのタイミングチャートである。同図に示すように、本実施形態においてはひとつのフレーム（１Ｆ）が書込期間Ｐwrtと駆動期間Ｐdrvとに区分される。なお、本実施形態においては書込期間Ｐwrtの時間長と駆動期間Ｐdrvの時間長とが略一致する場合を例示するが、各期間の時間長の比率は任意に変更される。
【００２３】
図２に示すように、電圧制御回路２７は、各電圧供給線１７の電圧Ａを、書込期間Ｐwrtにて電圧値Ｖssに設定し、その直後の駆動期間Ｐdrvにて電圧値Ｖddに設定する。本実施形態における電圧値Ｖssは、各部の電圧の基準となる電位（接地電位）である。電圧値Ｖddは、電圧値Ｖssよりも高位の電圧（例えば電源電位の高位側）である。
【００２４】
図１の走査線駆動回路２３は、書込期間Ｐwrt内にｍ本の走査線１３の各々を所定の順番で順次に選択する（複数の単位回路Ｕを行単位で選択する）ための回路である。さらに詳述すると、走査線駆動回路２３は、図２に示すように、書込期間Ｐwrt内の各水平走査期間（１Ｈ）にて順番にハイレベルとなる走査信号Ｓ[1]ないしＳ[m]を生成して各走査線１３に出力する。第ｉ行目（ｉは１≦ｉ≦ｍを満たす整数）の走査線１３に供給される走査信号Ｓ[i]は、書込期間Ｐwrtのうち第ｉ番目の水平走査期間（１Ｈ）にてハイレベルとなり、それ以外の期間（駆動期間Ｐdrvを含む）にてローレベルを維持する信号である。走査信号Ｓ[i]のハイレベルへの遷移が第ｉ行の選択を意味する。
【００２５】
一方、図１の信号線駆動回路２５は、走査線駆動回路２３が選択した走査線１３に対応する１行分（ｎ個）の単位回路Ｕの各々に各信号線１５を介して信号Ｄ[1]ないしＤ[n]を供給する。図２に示すように、第ｊ列目（ｊは１≦ｊ≦ｎを満たす整数）の信号線１５に供給される信号Ｄ[j]は、書込期間Ｐwrtにおいてデータ電圧Ｖdataとなり、駆動期間Ｐdrvにおいて制御電圧Ｖctlとなる電圧信号である。
【００２６】
図２に示すように、データ電圧Ｖdataは各単位回路Ｕに指定された階調（輝度）に応じて水平走査期間ごとに順次に変化する。さらに詳述すると、信号Ｄ[j]のデータ電圧Ｖdataは、書込期間Ｐwrtのうち第ｉ番目の水平走査期間において、第ｉ行に属する第ｊ列目の単位回路Ｕに指定された階調に対応する電圧値となる。各単位回路Ｕの階調は、外部から供給される階調データによって指定される。
【００２７】
一方、制御電圧Ｖctlは、駆動期間Ｐdrv内にて経時的に電圧値が変化する。本実施形態における制御電圧Ｖctlは、駆動期間Ｐdrvの中点ｔc（すなわち駆動期間Ｐdrvの始点および終点の双方から同じ時間長の時点）から始点までの波形と中点ｔcから終点までの波形とが当該中点ｔcを基準として線対称となる三角波である。すなわち、制御電圧Ｖctlは、図２に示すように、駆動期間Ｐdrvの始点から中点ｔcにかけて電圧値ＶLからこれよりも高位の電圧値ＶHまで時間の経過とともに直線的に上昇していき、中点ｔcから終点にかけて電圧値ＶHから時間の経過とともに直線的に低下して電圧値ＶLに到達する。
【００２８】
次に、図３を参照して、各単位回路Ｕの具体的な構成を説明する。なお、同図においては、第ｉ行の第ｊ列目の位置するひとつの単位回路Ｕのみが図示されているが、その他の単位回路Ｕも同様の構成である。
【００２９】
図３に示すように、単位回路Ｕは、電気光学素子１１と駆動トランジスタＴdrとトランジスタＴ1と容量素子Ｃとを含む。このうち電気光学素子１１は、電子装置Ｄにおいて駆動の対象となる要素（被駆動素子）Ｉ1である。本実施形態の電気光学素子１１は、これに供給される電流（以下「駆動電流」という）に応じた輝度に発光する電流駆動型の発光素子である。本実施形態では、電気光学素子１１として、有機ＥＬ（ElectroLuminescent）材料からなる発光層を陽極と陰極との間に介在させたＯＬＥＤ素子を採用している。各単位回路Ｕにおける電気光学素子１１の陰極は共通に接地（電圧値Ｖss）される。電気光学素子１１は、閾値電圧Ｖth_ELを上回る順方向の電圧の印加によって発光する。
【００３０】
図３の駆動トランジスタＴdrは、駆動電流Ｉ1の電流値を制御するためのｎチャネル型のトランジスタである。より具体的には、駆動トランジスタＴdrは、ソースとドレインとの間の電気的な導通状態がゲートの電圧（以下「ゲート電圧」という）Ｖgに応じて変化することによってゲート電圧Ｖgに応じた電流レベルを有する駆動電流Ｉ1を生成する。したがって、電気光学素子１１は、駆動トランジスタＴdrの導通状態に応じた輝度（すなわちゲート電圧Ｖgに応じた輝度）に駆動される。
【００３１】
なお、本実施形態において駆動トランジスタＴdrのソースおよびドレインの各々の電圧値の高低は順次に逆転するため、厳密な意味では駆動トランジスタＴdrのドレインとソースとは随時に入れ替わる。しかしながら、以下では、電気光学素子１１に駆動トランジスタＴdrを介して駆動電流Ｉ1が供給されるときの駆動トランジスタＴdrの各端子の電圧の高低を基準として、説明の便宜のために、駆動トランジスタＴdrのうち電気光学素子１１側の端子を「ソース（Ｓ）」と表記するとともにその反対側の端子を「ドレイン（Ｄ）」と表記する。
【００３２】
この駆動トランジスタＴdrは電気光学素子１１と電圧供給線１７との間に介在する。すなわち、駆動トランジスタＴdrのドレインは電圧供給線１７に接続され、そのソースは電気光学素子１１の陽極に接続される。駆動トランジスタＴdrのソースは電気光学素子１１に対して直接的に接続される。すなわち、駆動トランジスタＴdrのソースから電気光学素子１１の陽極に至る駆動電流Ｉ1の経路上には如何なるスイッチング素子も介在しない。
【００３３】
トランジスタＴ1は、駆動トランジスタＴdrのゲートとソースとの間に介在して両者の電気的な接続を制御するｎチャネル型のトランジスタである。このトランジスタＴ1のゲートは走査線１３に接続される。したがって、走査信号Ｓ[i]がハイレベルを維持する期間（第ｉ番目の水平走査期間）においてはトランジスタＴ1がオン状態に遷移して駆動トランジスタＴdrがダイオード接続され、走査信号Ｓ[i]がローレベルに遷移するとトランジスタＴ1がオフ状態となって駆動トランジスタＴdrのダイオード接続は解除される。
【００３４】
図３に示すように容量素子Ｃは、相互に対向する第１電極Ｅaおよび第２電極Ｅbと、両電極の間隙に介在する誘電体とを含む。第１電極Ｅaは駆動トランジスタＴdrのゲートに接続される。第２電極Ｅbは信号線１５に接続される。この容量素子Ｃは、第１電極Ｅaと第２電極Ｅbとの電位差（すなわち信号線１５と駆動トランジスタＴdrのゲートとの電位差）に応じた電荷を保持するための手段である。
【００３５】
次に、図４および図５を参照しながら電子装置Ｄの具体的な動作を説明する。以下では、第ｉ行に属する第ｊ列目の単位回路Ｕの動作を、書込期間Ｐwrtと駆動期間Ｐdrvとに区分して説明する。
【００３６】
（ａ）書込期間Ｐwrt（図４）  
書込期間Ｐwrtにおいて走査信号Ｓ[i]がハイレベルに遷移すると、トランジスタＴ1がオン状態となって駆動トランジスタＴdrのソースとゲートとが電気的に接続（ダイオード接続）される。一方、書込期間Ｐwrtにおいて電圧供給線１７の電圧Ａは電圧値Ｖssを維持する。すなわち、電圧供給線１７の電圧Ａが駆動トランジスタＴdrのソースやゲートの電圧値よりも低位となるから、書込期間Ｐwrtにおいては、図４に示すように、電流Ｉ0が、駆動トランジスタＴdrのゲートからトランジスタＴ1および駆動トランジスタＴdrのソースおよびドレインをこの順番に経由して電圧供給線１７に流れ込む。
【００３７】
本実施形態においては電気光学素子１１の閾値電圧Ｖth_ELが駆動トランジスタＴdrの閾値電圧Ｖth_TRよりも大きくなるように電気光学素子１１および駆動トランジスタＴdrの構造や材料が選定されている。すなわち、書込期間Ｐwrtにおける駆動トランジスタＴdrのソースの電圧（Ｖss＋Ｖth_TR）は電気光学素子１１の閾値電圧Ｖth_ELを下回る。したがって、書込期間Ｐwrtにおいて電気光学素子１１には電流が流れず、これにより電気光学素子１１は消灯する。
【００３８】
以上のように駆動トランジスタＴdrに電流Ｉ0が流れると、駆動トランジスタＴdrのゲート電圧Ｖg（換言すると第１電極Ｅaの電圧）は、走査信号Ｓ[i]がハイレベルを維持する水平走査期間内に、電圧値Ｖssと駆動トランジスタＴdrの閾値電圧Ｖth_TRとの加算値（Ｖss＋Ｖth_TR）に収束する。一方、この水平走査期間において第１電極Ｅaには信号Ｄ[j]のデータ電圧Ｖdataが供給されている。このような電圧の関係が維持されたまま水平走査期間が経過して走査信号Ｓ[i]がローレベルに遷移すると、トランジスタＴ1がオフ状態となって容量素子Ｃの第１電極Ｅaはフローティング状態となる。したがって、走査信号Ｓ[i]がローレベルに遷移した時点における第１電極Ｅa（Ｖss＋Ｖth_TR）と第２電極Ｅb（Ｖdata）との電位差が容量素子Ｃに保持される。
【００３９】
書込期間Ｐwrtにおいては、以上のようにデータ電圧Ｖdataと閾値電圧Ｖth_TRとに応じた電荷を容量素子Ｃに蓄積するための動作が第１行目から第ｎ行目の各単位回路Ｕについて水平走査期間ごとに順番に繰り返される。
【００４０】
（ｂ）駆動期間Ｐdrv（図５）  
駆動期間Ｐdrvにおいて走査信号Ｓ[1]ないしＳ[m]はローレベルを維持するから、総ての単位回路ＵのトランジスタＴ1はオフ状態となって駆動トランジスタＴdrのダイオード接続は解除される。したがって、総ての単位回路Ｕにおける容量素子Ｃの第１電極Ｅaはフローティング状態を維持する。一方、駆動期間Ｐdrvにおいて、電圧制御回路２７は、電圧供給線１７の電圧Ａを電圧値Ｖddに維持する。
【００４１】
以上の状況において、各単位回路Ｕの容量素子Ｃの第２電極Ｅbには、経時的に変化する制御電圧Ｖctlが各信号線１５を介して供給される。ここで、第１電極Ｅaはフローティング状態となっているから、駆動トランジスタＴdrのゲート電圧Ｖg（すなわち第１電極Ｅaの電圧）は、容量素子Ｃによる容量カップリングによって、第２電極Ｅbの電圧の変動に応じた電圧値ΔＶだけ変化する。この第１電極Ｅaの電圧の変化と駆動電流Ｉ1との関係について詳述すると以下の通りである。
【００４２】
まず、駆動期間Ｐdrvにて第２電極Ｅbに印加される制御電圧Ｖctlが、直前の書込期間Ｐwrtにて印加されていたデータ電圧Ｖdataよりも高位になると、駆動トランジスタＴdrのゲート電圧Ｖg（第１電極Ｅaの電圧）は、書込期間Ｐwrtにて設定された電圧値（Ｖss＋Ｖth_TR）から、制御電圧Ｖctlとデータ電圧Ｖdataとの差分に相当する電圧値ΔＶだけ上昇する。このときに駆動トランジスタＴdrはオン状態（導通状態）となるから、図５に示すように、駆動電流Ｉ1が電圧供給線１７から駆動トランジスタＴdrを経由して電気光学素子１１に供給される。そして、この駆動電流Ｉ1の供給によって電気光学素子１１は発光する。
【００４３】
一方、駆動期間Ｐdrvにて第２電極Ｅbに印加される制御電圧Ｖctlが、直前の書込期間Ｐwrtにて印加されていたデータ電圧Ｖdataよりも低位になると、駆動トランジスタＴdrのゲート電圧Ｖgは、書込期間Ｐwrtにて設定された電圧値（Ｖss＋Ｖth_TR）から、データ電圧Ｖdataと制御電圧Ｖctlとの差分に相当する電圧値ΔＶだけ下降する。このとき駆動トランジスタＴdrはオフ状態（非導通状態）となるから、電圧供給線１７から電気光学素子１１に至る経路が遮断されて電気光学素子１１は消灯する。
【００４４】
このように、駆動期間Ｐdrvにおける各単位回路Ｕの駆動トランジスタＴdrは、制御電圧Ｖctlがデータ電圧Ｖdataよりも高位となる期間にてオン状態となり、制御電圧Ｖctlがデータ電圧Ｖdataよりも低位となる期間にてオフ状態となる。すなわち、各単位回路Ｕの電気光学素子１１は、駆動期間Ｐdrvのうちデータ電圧Ｖdataの電圧値に応じた時間長の期間にて発光するとともに、その駆動期間Ｐdrvの残余の期間にて消灯する。したがって、各電気光学素子１１は、データ電圧Ｖdataに応じた階調（駆動期間Ｐdrvにおける輝度の積分値）に制御される（パルス幅変調による階調制御）。
【００４５】
以上に説明したように、本実施形態においては、書込期間Ｐwrtにおいて駆動トランジスタＴdrのゲート電圧Ｖgが閾値電圧Ｖth_TRに応じた電圧値に設定される。換言すると、駆動トランジスタＴdrは、閾値電圧Ｖth_TRの高低に拘わらず、導通状態と非導通状態との境界の状態に強制的に移行させられる。したがって、駆動期間Ｐdrvのうち駆動トランジスタＴdrがオン状態となって電気光学素子１１に駆動電流Ｉ1が供給される時間長はデータ電圧Ｖdataに応じて決定され、駆動トランジスタＴdrの閾値電圧Ｖth_TRには依存しない。すなわち、本実施形態によれば、駆動トランジスタＴdrの閾値電圧Ｖth_TRの誤差（設計値との相違）を補償して電気光学素子１１を高い精度で所期の階調に制御することができる。
【００４６】
また、本実施形態においては、ひとつの単位回路Ｕに含まれるトランジスタの総数は「２」である。したがって、駆動トランジスタＴdrの閾値電圧のバラツキを補償するためにひとつの単位回路あたり少なくとも３個のトランジスタが不可欠である特許文献１の構成と比較して、電子装置Ｄの構成の簡素化や製造コストの低減が実現され、さらには各単位回路Ｕの開口率（単位回路Ｕが分布する領域のうち電気光学素子１１からの放射光が出射する領域の割合）を増加させることができる。
【００４７】
ところで、単位回路Ｕを構成する各トランジスタ（特に駆動トランジスタＴdr）としては、例えば多結晶シリコン・微結晶シリコン・単結晶シリコンまたはアモルファスシリコンを半導体層の材料に採用した薄膜トランジスタや、バルクシリコンから形成されたトランジスタを採用することができる。これらのトランジスタのうち特に半導体層がアモルファスシリコンで形成されたトランジスタは、これに流れる電流の方向が恒常的に固定されていると閾値電圧が経時的に変動していくことが知られている。
【００４８】
本実施形態の構成のもとでは、駆動期間Ｐdrvにおいては駆動電流Ｉ1が駆動トランジスタＴdrのドレインからソースに向かって流れるのに対し、書込期間Ｐwrtにおいては図４のように電流Ｉ0がソースからドレインに向かって流れる。すなわち、駆動トランジスタＴdrに流れる電流の方向が書込期間Ｐwrtと駆動期間Ｐdrvとで逆転する。したがって、本実施形態によれば、半導体層がアモルファスシリコンからなる薄膜トランジスタを駆動トランジスタＴdrに採用した構成のもとで、その閾値電圧Ｖth_TRの経時的な変動を抑制することができる。
【００４９】
＜Ｂ：第２実施形態＞
次に、本発明の第２実施形態について説明する。
第１実施形態においては、書込期間Ｐwrtにて電圧供給線１７の電圧Ａを電圧値Ｖssに低下させることで電流Ｉ0を発生させ、これによって駆動トランジスタＴdrのゲート電圧Ｖgを閾値電圧Ｖth_TRに応じた電圧値（Ｖss＋Ｖth_TR）に収束させる構成を例示した。しかしながら、ノイズなど何らかの外乱によって駆動トランジスタＴdrのソースの電圧が偶発的に電圧値Ｖss以下に低下すると、電圧Ａを電圧値Ｖssに低下させても電流Ｉ0が発生せず、この結果としてゲート電圧Ｖgが閾値電圧Ｖth_TRに応じた電圧値に収束しない可能性がある。このような問題を解決するために、本実施形態においては、駆動トランジスタＴdrのソースの電圧が、電流Ｉ0を発生させ得る電圧値に強制的に設定される構成となっている。なお、本実施形態のうち第１実施形態と同様の要素については、各々に共通の符号を付して説明を適宜に省略する。
【００５０】
図６は、本実施形態における単位回路Ｕの構成を示す回路図である。同図に示すように、本実施形態の単位回路Ｕは、図３の各要素に加えてｐチャネル型のトランジスタＴ2を含む。このトランジスタＴ2は、駆動トランジスタＴdrと電気光学素子１１との接続点Ｎ（駆動トランジスタＴdrのソースまたは電気光学素子１１の陽極）の電圧Ｖnを電圧値Ｖddに設定するための手段であり、接続点Ｎと電圧供給線１７との間に介挿される。トランジスタＴ2のゲートは、走査線１３に対をなしてＸ方向に延在するリセット信号線１４１に接続される。各行のリセット信号線１４１には走査線駆動回路２３から共通のリセット信号ＲＳaが供給される。もっとも、リセット信号ＲＳaを生成して各リセット信号線１４１に出力する回路が走査線駆動回路２３とは別個に設置された構成としてもよい。
【００５１】
次に、図７は、本実施形態に係る電子装置Ｄの動作を示すタイミングチャートである。同図に示すように、ひとつのフレーム（１Ｆ）は、書込期間Ｐwrtおよび駆動期間Ｐdrvに加えて書込期間Ｐwrtの直前の初期化期間Ｐrs1を含む。各電圧供給線１７の電圧Ａは、書込期間Ｐwrtにて電圧値Ｖssに設定され、初期化期間Ｐrs1および駆動期間Ｐdrvにおいては電圧値Ｖddに設定される。
【００５２】
各リセット信号線１４１に供給されるリセット信号ＲＳaは、初期化期間Ｐrs1内にてローレベルとなり、それ以外の期間（書込期間Ｐwrtや駆動期間Ｐdrv）にてハイレベルを維持する。また、走査線駆動回路２３は、初期化期間Ｐrs1内にて総ての走査信号Ｓ[1]ないしＳ[m]を一斉にハイレベルに遷移させる。書込期間Ｐwrtや駆動期間Ｐdrvにおける走査信号Ｓ[1]ないしＳ[m]の波形は第１実施形態と同様である。
【００５３】
図８は、初期化期間Ｐrs1におけるひとつの単位回路Ｕの様子を示す回路図である。同図に示すように、初期化期間Ｐrs1においては、ハイレベルの走査信号Ｓ[i]によってトランジスタＴ1がオン状態を維持するとともにローレベルのリセット信号ＲＳaによってトランジスタＴ2がオン状態を維持する。すなわち、接続点Ｎと駆動トランジスタＴdrのゲートとはトランジスタＴ2を介して電圧供給線１７に電気的に接続される。このとき電圧供給線１７の電圧Ａは電圧値Ｖddに設定されている。したがって、初期化期間Ｐrs1においては、図８に示すように、接続点Ｎの電圧Ｖnおよび駆動トランジスタＴdrのゲート電圧Ｖgが強制的に電圧値Ｖddに設定される。初期化期間Ｐrs1は、トランジスタＴ1およびトランジスタＴ2がオン状態となってから接続点Ｎの電圧Ｖnが電圧値Ｖddに到達するのに充分な時間長に設定される。
【００５４】
書込期間Ｐwrtおよび駆動期間Ｐdrvにおける動作は第１実施形態と同様である。本実施形態によれば、書込期間Ｐwrtの直前の初期化期間Ｐrs1において、接続点Ｎの電圧Ｖnが、書込期間Ｐwrtにおける電圧供給線１７の電圧値Ｖssと駆動トランジスタＴdrの閾値電圧Ｖth_TRとの加算値よりも高位である電圧値Ｖddに設定されるから、仮に初期化期間Ｐrs1に先立って電圧Ｖnが電圧値Ｖss以下に低下したとしても、書込期間Ｐwrtにおいては電流Ｉ0を駆動トランジスタＴdrから電圧供給線１７に向かって適正に流すことができる。したがって、本実施形態によれば、第１実施形態と同様の効果に加えて、ノイズなどの外乱の影響を低減して安定的な動作が実現されるという効果が奏される。
【００５５】
なお、初期化期間Ｐrs1においては、電圧Ｖnの電圧値（Ｖdd）が閾値電圧Ｖth_ELを上回るから電気光学素子１１は発光する。しかしながら、初期化期間Ｐrs1の時間長は書込期間Ｐwrtや駆動期間Ｐdrvと比較して充分に短くすれば、この初期化期間Ｐrs1での電気光学素子１１の発光は実際に観察者が視認する階調に殆ど影響を与えない。また、本実施形態においては初期化期間Ｐrs1が各書込期間Ｐwrtの直前に設定される場合を例示したが、初期化期間Ｐrs1のタイミングは任意である。例えば、複数のフレームごとに初期化期間Ｐrs1が設けられて電圧Ｖnが初期化される構成としてもよい。
【００５６】
また、図９に示すように、初期化期間Ｐrs1にてハイレベルに立ち上がる時点から第ｉ番目の水平走査期間の終点にてローレベルに立ち下がる時点まで、走査信号Ｓ[i]がハイレベルを維持する構成としてもよい。第ｉ行目の単位回路Ｕの容量素子Ｃに保持される電荷量は、走査信号Ｓ[i]がローレベルに立ち下がった時点（すなわち第ｉ番目の水平走査期間の終点）で確定する。したがって、図９に示す駆動の方法によっても、第１実施形態や本実施形態と同様に、閾値電圧Ｖth_TRの誤差を補償しながら電気光学素子１１をデータ電圧Ｖdataに応じた階調に制御することができる。また、図９の方法によれば、図７の方法と比較して、走査信号Ｓ[i]のレベルを変動させる回数が削減されるから、走査線駆動回路２３で消費される電力を低減することができるという利点がある。一方、図７の方法によれば、初期化期間Ｐrs1および書込期間Ｐwrtの各々における走査信号Ｓ[i]のパルス幅を全行について同一値とすることができるから、走査信号Ｓ[i]を生成するための構成が簡素化されるという利点がある。
【００５７】
＜Ｃ：第３実施形態＞
次に、本発明の第３実施形態について説明する。
第２実施形態においては、接続点Ｎの電圧Ｖnを電圧値Ｖddに設定するために電圧供給線１７が兼用される構成を例示した。これに対し、本実施形態においては、電圧供給線１７とは別個の配線に接続点Ｎを導通させることで電圧Ｖnが強制的に所定値に設定される。なお、本実施形態のうち第１実施形態と同様の要素については各々に共通の符号を付して説明を適宜に省略する。
【００５８】
図１０は、本実施形態における単位回路Ｕの構成を示す回路図である。第２実施形態と同様に、本実施形態の単位回路Ｕは、接続点Ｎの電圧Ｖnを所定値（ここではＶdd）に設定するためのトランジスタＴ2を含む。このトランジスタＴ2は接続点Ｎと給電線１８との間に介挿される。給電線１８は走査線１３に対をなしてＸ方向に延在する配線である。各行の給電線１８の電圧は電圧制御回路２７によって常に電圧値Ｖddに固定される。なお、給電線１８に電圧（Ｖdd）を供給する回路が電圧制御回路２７とは別個に設置された構成としてもよい。トランジスタＴ2のゲートは、第２実施形態と同様にリセット信号線１４１に接続される。
【００５９】
図１１は、本実施形態の電子装置Ｄの動作を説明するためのタイミングチャートである。第２実施形態と同様に、本実施形態におけるひとつのフレーム（１Ｆ）は、書込期間Ｐwrtおよび駆動期間Ｐdrvに加えて書込期間Ｐwrtの直前の初期化期間Ｐrs1を含む。各電圧供給線１７の電圧Ａは、駆動期間Ｐdrvにて電圧値Ｖddに設定され、初期化期間Ｐrs1および書込期間Ｐwrtにて電圧値Ｖssに設定される。一方、走査信号Ｓ[i]およびリセット信号ＲＳaの波形は第２実施形態（図７）と同様である。ただし、図９に例示した波形の走査信号Ｓ[1]ないしＳ[m]を採用してもよい。
【００６０】
図１２は、初期化期間Ｐrs1におけるひとつの単位回路Ｕの様子を示す回路図である。同図に示すように、初期化期間Ｐrs1にてトランジスタＴ1およびトランジスタＴ2がオン状態に遷移すると、接続点Ｎと駆動トランジスタＴdrのゲートとがトランジスタＴ2を介して給電線１８に電気的に接続される。この給電線１８の電圧は電圧値Ｖddに固定されているから、初期化期間Ｐrs1においては、図１２に示すように、接続点Ｎの電圧Ｖnおよび駆動トランジスタＴdrのゲート電圧Ｖgが強制的に電圧値Ｖddに設定される。したがって、本実施形態によっても第２実施形態と同様の効果が奏される。
【００６１】
また、本実施形態においては、初期化期間Ｐrs1における電圧供給線１７の電圧Ａを電圧値Ｖssに設定することができる。第２実施形態とは異なり、初期化期間Ｐrs1にて接続点Ｎを電圧値Ｖddに設定するための給電線１８が電圧供給線１７とは別個に形成されているからである。このように本実施形態においては、初期化期間Ｐrs1にて電圧供給線１７が電圧値Ｖssに設定されるから（図１２参照）、初期化期間Ｐrs1において電気光学素子１１に駆動電流Ｉ1は供給されない。換言すると、図１１に示すように駆動期間Ｐdrvの終点で電圧供給線１７の電圧Ａが電圧値Ｖssに低下することによって電気光学素子１１の発光は停止する。したがって、本実施形態によれば、初期化期間Ｐrs1においても電気光学素子１１が発光し得る第２実施形態と比較して、各電気光学素子１１が発光する期間を高い精度で規定して各々を所期の階調に制御することができるという利点がある。もっとも、第２実施形態の構成によれば、接続点Ｎの電圧Ｖnを電圧値Ｖddに設定するために電圧供給線１７が兼用されるから、電圧Ｖnの初期化に専用される給電線１８は不要である。したがって、単位回路Ｕの構成が簡素化されるという利点がある。
【００６２】
＜Ｄ：第４実施形態＞
次に、本発明の第４実施形態について説明する。
第１実施形態の構成のもとでは、書込期間Ｐwrtにて容量素子Ｃに蓄積された電荷がその次のフレームにおける書込期間Ｐwrtの始点まで残存する。したがって、あるフレームの書込期間Ｐwrtで容量素子Ｃに蓄積される電荷量（あるいはゲート電圧Ｖg）が、その直前のフレームの書込期間Ｐwrtにて容量素子Ｃに保持された電荷量の影響を受ける場合がある。そこで、本実施形態においては、書込期間Ｐwrtに先立って駆動トランジスタＴdrのゲート電圧Ｖgが強制的に所定値に設定される構成となっている。なお、本実施形態のうち第１実施形態と同様の要素については各々に共通の符号を付して説明を適宜に省略する。
【００６３】
図１３は、本実施形態に係る単位回路Ｕの構成を示す回路図である。同図に示すように、本実施形態の単位回路Ｕは、図３の各要素に加えてｐチャネル型のトランジスタＴ3を含む。このトランジスタＴ3は、駆動トランジスタＴdrのゲート電圧Ｖgを電圧値Ｖddに設定するための手段であり、電圧供給線１７と駆動トランジスタＴdrのゲートとの間に介挿される。トランジスタＴ3のゲートはＸ方向に延在するリセット信号線１４２に接続される。各行のリセット信号線１４２には走査線駆動回路２３から共通のリセット信号ＲＳbが供給される。なお、リセット信号ＲＳbを生成して各リセット信号線１４２に出力する回路が走査線駆動回路２３とは別個に設置された構成としてもよい。
【００６４】
図１４は、本実施形態に係る電子装置Ｄの動作を説明するためのタイミングチャートである。同図に示すように、各フレームは書込期間Ｐwrtの直前に初期化期間Ｐrs2を含む。各電圧供給線１７の電圧Ａは、第２実施形態と同様に、書込期間Ｐwrtにて電圧値Ｖssに設定されるとともに初期化期間Ｐrs2および駆動期間Ｐdrvにて電圧値Ｖddに設定される。一方、リセット信号ＲＳbは、初期化期間Ｐrs2にてローレベルに遷移するとともにそれ以外の期間にてハイレベルを維持する。なお、走査信号Ｓ[1]ないしＳ[m]の波形は第１実施形態と同様である。
【００６５】
図１５は、初期化期間Ｐrs2における単位回路Ｕの様子を示す回路図である。同図に示すように、初期化期間Ｐrs2においては、リセット信号ＲＳbがローレベルに遷移するから、トランジスタＴ3がオン状態に遷移して駆動トランジスタＴdrのゲートと電圧供給線１７とが電気的に接続される。したがって、駆動トランジスタＴdrのゲート電圧Ｖgは、その時点で電圧供給線１７に供給されている電圧値Ｖddに設定される。書込期間Ｐwrtおよび駆動期間Ｐdrvの動作は第１実施形態と同様である。
【００６６】
以上のように、本実施形態においては、書込期間Ｐwrtに先立ってゲート電圧Ｖgが電圧値Ｖddに初期化されるから、以前のフレームにて容量素子Ｃに蓄積された電荷量に拘わらず、各書込期間Ｐwrtにおいてはデータ電圧Ｖdataに応じた電荷を正確に容量素子Ｃに蓄積することができる。したがって、本実施形態によれば、第１実施形態と比較して、各電気光学素子１１を高い精度で所期の階調に制御することができる。
【００６７】
＜Ｅ：変形例＞
以上の各形態には様々な変形を加えることができる。具体的な変形の態様を例示すれば以下の通りである。なお、以下の各態様を適宜に組み合わせてもよい。
【００６８】
（１）変形例１  
駆動期間Ｐdrvにおける信号Ｄ[1]ないしＤ[n]の波形（制御電圧Ｖctlの波形）は適宜に変更される。例えば、各実施形態においては駆動期間Ｐdrvの中点ｔcを基準として波形が線対称となる三角波を例示したが、本発明において制御電圧Ｖctlの対称性は必須ではない。例えば、ランプ波や鋸歯波（鋸波）やマルチランプ波（階段波）など様々な波形が制御電圧Ｖctlとして採用される。また、電圧値が直線的に変化する波形だけでなく正弦波など曲線的に変化する波形を制御電圧Ｖctlとして採用してもよい。
【００６９】
また、各実施形態においては駆動期間Ｐdrvにおける制御電圧Ｖctlが三角波の１周期分の波形となる構成を例示したが、三角波や以上に例示したランプ波や鋸歯波など様々な単位波形の複数を駆動期間Ｐdrv内にて連続させた波形（すなわち電圧の上昇と下降とを複数回にわたって繰り返す波形）を制御電圧Ｖctlに適用してもよい。本発明の電子装置Ｄにおいては、駆動期間Ｐdrv内にて時間の経過とともに電圧が変動する様々な波形を制御電圧Ｖctlとして採用することができる。
【００７０】
（２）変形例２  
第２実施形態および第３実施形態においては、初期化期間Ｐrs1において接続点Ｎの電圧Ｖnが電圧値Ｖddに設定される構成を例示したが、この初期化期間Ｐrs1で電圧Ｖnに設定される電圧値は適宜に変更される。ただし、電圧供給線１７の電圧Ａが電圧値Ｖssとされる書込期間Ｐwrtで電流Ｉ0を確実に流すという観点からすると、初期化期間Ｐrs1における電圧Ｖnは、電圧値Ｖssと駆動トランジスタＴdrの閾値電圧Ｖth_TRとの加算値（Ｖss＋Ｖth_TR）よりも高位の電圧値に設定されることが望ましい。
【００７１】
また、第４実施形態においては、初期化期間Ｐrs2においてゲート電圧Ｖgが電圧値Ｖddに設定される構成を例示したが、この初期化期間Ｐrs2でゲート電圧Ｖgに設定される電圧値は任意である。例えば、初期化期間Ｐrs2における電圧供給線１７の電圧Ａを電圧値Ｖssとし、初期化期間Ｐrs2においてゲート電圧Ｖgが電圧値Ｖssに設定される構成としてもよい。
【００７２】
（３）変形例３  
各単位回路Ｕの構成は適宜に変更される。より具体的には、各実施形態の単位回路Ｕを構成するトランジスタの導電型は任意である。例えば、第１実施形態のトランジスタＴ1をｐチャネル型としてもよいし、第２実施形態および第３実施形態のトランジスタＴ2や第４実施形態のトランジスタＴ3をｎチャネル型としてもよい。
【００７３】
また、各実施形態においては駆動トランジスタＴdrがｎチャネル型である構成を例示したが、駆動トランジスタＴdrはｐチャネル型であってもよい。ｐチャネル型の駆動トランジスタＴdrが採用された構成では、電圧供給線１７の電圧Ａを書込期間Ｐwrtと駆動期間Ｐdrvとで変化させなくても各実施形態と同様の作用および効果が奏される。この構成において、書込期間Ｐwrt（電圧Ａは駆動期間Ｐdrvと同じく電圧値Ｖdd）においてトランジスタＴ1がオン状態に遷移すると、駆動トランジスタＴdrのドレインの電圧（すなわち電気光学素子１１の陽極）は、電圧値Ｖddから閾値電圧Ｖth_TRを減算した数値（Ｖdd−Ｖth_TR）に設定される。
【００７４】
（４）変形例４  
以上の形態においては電気光学素子１１としてＯＬＥＤ素子を例示したが、本発明の電子装置に採用される電気光学素子はこれに限定されない。例えば、ＯＬＥＤ素子に代えて、無機ＥＬ素子や、フィールド・エミッション（ＦＥ）素子、表面導電型エミッション（ＳＥ：Surface-conduction  Electron-emitter）素子、弾道電子放出（ＢＳ：Ballistic  electron  Surface  emitting）素子、ＬＥＤ（Light  Emitting  Diode）素子といった様々な自発光素子、さらには電気泳動素子やエレクトロ・クロミック素子、液晶素子など様々な電気光学素子を利用することができる。また、本発明は、バイオチップなどのセンシング装置にも適用される。本発明の被駆動素子とは、電気エネルギの付与によって駆動される総ての要素を含む概念であり、発光素子などの電気光学素子は被駆動素子の例示に過ぎない。
【００７５】
＜Ｆ：応用例＞
次に、本発明に係る電子装置を利用した電子機器について説明する。
図１６は、以上に説明した何れかの形態に係る電子装置Ｄを表示装置として採用したモバイル型のパーソナルコンピュータの構成を示す斜視図である。パーソナルコンピュータ２０００は、表示装置としての電子装置Ｄと本体部２０１０とを備える。本体部２０１０には、電源スイッチ２００１およびキーボード２００２が設けられている。この電子装置Ｄは電気光学素子１１にＯＬＥＤ素子を利用しているので、視野角が広く見易い画面を表示できる。
【００７６】
図１７に、実施形態に係る電子装置Ｄを適用した携帯電話機の構成を示す。携帯電話機３０００は、複数の操作ボタン３００１およびスクロールボタン３００２、ならびに表示装置としての電子装置Ｄを備える。スクロールボタン３００２を操作することによって、電子装置Ｄに表示される画面がスクロールされる。
【００７７】
図１８に、実施形態に係る電子装置Ｄを適用した携帯情報端末（ＰＤＡ：Personal Digital Assistants）の構成を示す。情報携帯端末４０００は、複数の操作ボタン４００１および電源スイッチ４００２、ならびに表示装置としての電子装置Ｄを備える。電源スイッチ４００２を操作すると、住所録やスケジュール帳といった各種の情報が電子装置Ｄに表示される。
【００７８】
なお、本発明に係る電子装置（電気光学装置）が適用される電子機器としては、図１６から図１８に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電子装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電子装置は利用される。本発明にいう単位回路とは、表示装置の画素を構成する回路（いわゆる画素回路）のほか、画像形成装置における露光の単位となる回路をも含む概念である。
【図面の簡単な説明】
【００７９】
【図１】本発明の第１実施形態に係る電子装置の構成を示すブロック図である。
【図２】電子装置の動作を説明するためのタイミングチャートである。
【図３】ひとつの単位回路の構成を示す回路図である。
【図４】書込期間における単位回路の様子を示す回路図である。
【図５】駆動期間における単位回路の様子を示す回路図である。
【図６】本発明の第２実施形態に係る単位回路の構成を示す回路図である。
【図７】第２実施形態に係る電子装置の動作を説明するためのタイミングチャートである。
【図８】初期化期間における単位回路の様子を示す回路図である。
【図９】第２実施形態の変形例における動作を説明するためのタイミングチャートである。
【図１０】本発明の第３実施形態に係る単位回路の構成を示す回路図である。
【図１１】第３実施形態に係る電子装置の動作を説明するためのタイミングチャートである。
【図１２】初期化期間における単位回路の様子を示す回路図である。
【図１３】本発明の第４実施形態に係る単位回路の構成を示す回路図である。
【図１４】第４実施形態に係る電子装置の動作を説明するためのタイミングチャートである。
【図１５】初期化期間における単位回路の様子を示す回路図である。
【図１６】本発明に係る電子機器の形態（パーソナルコンピュータ）を示す斜視図である。
【図１７】本発明に係る電子機器の形態（携帯電話機）を示す斜視図である。
【図１８】本発明に係る電子機器の形態（携帯情報端末）を示す斜視図である。
【符号の説明】
【００８０】
Ｄ……電子装置、Ｕ……単位回路、１１……電気光学素子、１３……走査線、１４１，１４２……リセット信号線、１５……信号線、１７……電圧供給線、１８……給電線、２３……走査線駆動回路、２５……信号線駆動回路、２７……電圧制御回路、Ｔdr……駆動トランジスタ、Ｔ1……トランジスタ（第１スイッチング素子）、Ｔ2……トランジスタ（第１リセット手段，第２スイッチング素子）、Ｔ3……トランジスタ（第２リセット手段，第３スイッチング素子）、Ｃ……容量素子、Ｅa……第１電極、Ｅb……第２電極、Ａ……電圧供給線の電圧、Ｓ[i]……走査信号、Ｄ[j]……信号、Ｖdata……データ電圧、Ｖctl……制御電圧、ＲＳa，ＲＳb……リセット信号、Ｐwrt……書込期間、Ｐdrv……駆動期間、Ｐrs1，Ｐrs2……初期化期間。
【図１】
2007065539.tif 000003
【図２】
2007065539.tif 000004
【図３】
2007065539.tif 000005
【図４】
2007065539.tif 000006
【図５】
2007065539.tif 000007
【図６】
2007065539.tif 000008
【図７】
2007065539.tif 000009
【図８】
2007065539.tif 000010
【図９】
2007065539.tif 000011
【図１０】
2007065539.tif 000012
【図１１】
2007065539.tif 000013
【図１２】
2007065539.tif 000014
【図１３】
2007065539.tif 000015
【図１４】
2007065539.tif 000016
【図１５】
2007065539.tif 000017
【図１６】
2007065539.tif 000018
【図１７】
2007065539.tif 000019
【図１８】
2007065539.tif 000020